(57)【特許請求の範囲】
【請求項１】
床（２１４）を提供する作業環境で使用するための入れ子式椅子（１０、１０ａ、１０ｂ）であって、複数の脚（２６、２８）を含むベース（１２）及びこのベース（１２）に連結された支持体（１４）を含む椅子において、
前記支持体（１４）に連結されたシートアッセンブリ（１６）であって、前記支持体（１４）に対して実質的に垂直な軸線を中心として枢動可能であり、且つ実質的に水平な軸線を中心として全体として水平な位置から全体として垂直な位置まで枢動可能であり、さらに前記ベース（１２）に関して垂直方向で移動可能であるシートアッセンブリ（１６）と、
前記椅子を入れ子にするために、前記シートアッセンブリ（１６）を格納位置まで前記水平な軸線を中心に枢動させたときに、前記シートアッセンブリ（１６）を前記ベース（１２）に関して所定の高さに自動的に設定するシート作動式機構とを有し、
前記ベース（１２）の前記複数の脚（２６）は、別の椅子（１０ａ、１０ｂ、１０ｃ）のベース（１２）の複数の脚（２８）内に水平方向で入れ子にできるように形成されている、椅子。
【請求項２】
前記ベース（１２）は、別の椅子（１０ａ、１０ｂ、１０ｃ）のベース（１２）内に水平方向で入れ子になるように形成されている、請求項１に記載の椅子。
【請求項３】
前記ベース（１２）は、入れ子受け入れ部分及び被入れ子受け入れ部分を含む、請求項１に記載の椅子。
【請求項４】
前記シートアッセンブリ（１６）は、シート（１８）及び前記シートアッセンブリ（１６）に連結された背もたれ（２０）を含む、請求項１に記載の椅子。
【請求項５】
前記シート（１８）は、使用位置と格納される入れ子位置との間で移動するように形成されている、請求項４に記載の椅子。
【請求項６】
前記使用位置は全体に水平な位置であり、前記格納位置は全体に垂直な位置である、請求項５に記載の椅子。
【請求項７】
前記シート（１８）は、このシート（１８）を前記格納位置まで移動させるとき、中央入れ子位置に配置することができる、請求項５に記載の椅子。
【請求項８】
前記シート（１８）の枢動された後の前記格納位置での配置は、均等な入れ子となるように調節できる、請求項５に記載の椅子。
【請求項９】
前記シートアッセンブリ（１６）の前記シート（１８）及び前記背もたれ（２０）は、別の椅子（１０ａ、１０ｂ、１０ｃ）のシートアッセンブリ（１６）のシート（１８）及び背もたれ（２０）に水平方向で入れ子にできるように形成されている、請求項５に記載の椅子。
【請求項１０】
前記シートアッセンブリ（１６）は、別の椅子（１０ａ、１０ｂ、１０ｃ）のシートアッセンブリ（１６）に、前記ベース（１２）に対して均等な高さで入れ子になるように形成されている、請求項９に記載の椅子。
【請求項１１】
前記ベース（１２）に関する前記シート（１８）の枢動された後の前記格納位置での配置を位置合わせするための機構を更に有する、請求項１０に記載の椅子。
【請求項１２】
前記シート（１８）の枢動された後の前記格納位置での配置を位置合わせするための前記機構は、前記シート（１８）が入れ子のために前記格納位置にあるとき、これを表示する、請求項１１に記載の椅子。
【請求項１３】
前記ベース（１２）に関する前記シート（１８）の枢動された後の前記格納位置での配置を位置合わせするための機構は、コーティング歯（１８２）及びスロット（１８４）を含む、請求項１２に記載の椅子。
【請求項１４】
前記シート（１８）を前記格納位置まで移動したとき、前記シート（１２）の配置を、中央入れ子位置に自動的に位置合わせできるように形成された機構を更に有する、請求項１０に記載の椅子。
【請求項１５】
前記ベース（１２）に関する前記シート（１８）の枢動された後の前記格納位置での配置を位置合わせするための位置合わせ機構を更に有する、請求項１０に記載の椅子。
【請求項１６】
前記位置合わせ機構により、前記シート（１８）が前記ベース（１２）と整合する、請求項１５に記載の椅子。
【請求項１７】
前記位置合わせ機構は、前記シート（１８）を固定した配置に係止するための係止機構を含む、請求項１６に記載の椅子。
【請求項１８】
前記シート（１８）を水平位置に保持するためのラッチ機構（１２４）を更に有する、請求項１０に記載の椅子。
【請求項１９】
前記ラッチ機構（１２４）はハンドル（１２６）を含む、請求項１８に記載の椅子。
【請求項２０】
前記ラッチ機構（１２４）を選択的に解放するように形成されたラッチ解放ハンドル（１２６）を更に有する、請求項１８に記載の椅子。
【請求項２１】
少なくとも二つの椅子（１０ａ、１０ｂ、１０ｃ）の少なくとも二つのベース（１２）が入れ子構成をなして互いに嵌まることができる、請求項４に記載の椅子。
【請求項２２】
少なくとも二つのシートアッセンブリ（１６）が入れ子構成をなして互いに嵌まることができる、請求項４に記載の椅子。
【請求項２３】
前記ベース（１２）は、別の椅子（１０ａ、１０ｂ、１０ｃ）のベース（１２）に入れ子になったとき、床（２１４）に沿って転がることができるトレインを形成する、請求項４に記載の椅子。
【請求項２４】
前記入れ子受け入れ部分は、前記被入れ子受け入れ部分を受け入れるためのレセプタクルを提供する、請求項４に記載の椅子。
【請求項２５】
前記被入れ子受け入れ部分は、前記入れ子受け入れ部分の下に嵌まるように形成されている、請求項２４に記載の椅子。
【請求項２６】
前記入れ子受け入れ部分は、一対の後脚（２８）によって形成され、前記被入れ子受け入れ部分は一対の前脚（２６）によって形成される、請求項２５に記載の椅子。
【請求項２７】
前記入れ子受け入れ部分はテーパした輪郭を有する、請求項２６に記載の椅子。
【請求項２８】
前記入れ子受け入れ部分は全体にＶ字形状である、請求項２７に記載の椅子。
【請求項２９】
前記ベース（１２）は星型である、請求項２７に記載の椅子。
【請求項３０】
前記ベース（１２）は、前記ベース（１２）の前記被入れ子受け入れ部分に連結された少なくとも一つの材料部品（３０）を更に含む、請求項２９に記載の椅子。
【請求項３１】
前記入れ子受け入れ部分の面積は前記被入れ子受け入れ部分よりも大きい、請求項３０に記載の椅子。
【請求項３２】
前記ベース（１２）は突出部を有する、請求項３１に記載の椅子。
【請求項３３】
前記突出部（７４）は、前記被入れ子受け入れ部分を入れ子にするための移動を停止するのに役立つ、請求項３２に記載の椅子。
【請求項３４】
前記後脚（２８）には、少なくとも一つのラブストリップ（７０、７２）が設けられている、請求項３３に記載の椅子。
【請求項３５】
前記ラブストリップ（７０、７２）は、前記ベース（１２）の前記被入れ子受け入れ部分のストップとして役立つ、請求項３４に記載の椅子。
【請求項３６】
前記脚（２６、２８）は足（３２）を更に含む、請求項３５に記載の椅子。
【請求項３７】
前記ベース（１２）には、更に、前記ベース（１２）が床（２１４）に沿って転動移動できるようにする複数のキャスタ（３４）が設けられている、請求項３６に記載の椅子。
【請求項３８】
前記支持体（１４）は、前記ベース（１２）の前記被入れ子受け入れ部分を前記ベース（１２）の前記入れ子受け入れ部分に連結するコア部分（３０）を含む、請求項５に記載の椅子。
【請求項３９】
前記支持体（１４）はペデスタルを含む、請求項３８に記載の椅子。
【請求項４０】
前記支持体（１４）は、第１高さから第２高さまで調節されるようになっている、請求項３９に記載の椅子。
【請求項４１】
前記シートアッセンブリ（１６）の高さを調節するための機構を更に有する、請求項４０に記載の椅子。
【請求項４２】
前記シートアッセンブリ（１６）の高さを、基準入れ子位置に自動的に調節できる、請求項４１に記載の椅子。
【請求項４３】
前記シート（１８）の垂直方向高さは、均等な入れ子高さに調節される、請求項４２に記載の椅子。
【請求項４４】
前記シートアッセンブリ（１６）の高さを調節するための前記機構は、ガスばねを含む、請求項４１に記載の椅子。
【請求項４５】
前記シートアッセンブリ（１６）の高さを調節するための前記機構は、空気圧シリンダ（３８）を含む、請求項４１に記載の椅子。
【請求項４６】
前記シートアッセンブリ（１６）の高さを調節するための前記機構は、前記シート（１８）が入れ子位置に位置決めされたとき、これを表示する、請求項４５に記載の椅子。
【請求項４７】
前記支持体（１４）に含まれるヨーク（２４）を更に有する、請求項４に記載の椅子。
【請求項４８】
前記シート（１８）は前記ヨーク（２４）に枢着されている、請求項４７に記載の椅子。
【請求項４９】
前記ヨーク（２４）は、アクスル（６０）を更に含む、請求項４８に記載の椅子。
【請求項５０】
前記ヨーク（２４）は、背もたれ（２０）に連結されたアクスル（６０）を更に含む、請求項４９に記載の椅子。
【請求項５１】
前記アクスル（６０）はばね（９６）を含む、請求項５０に記載の椅子。
【請求項５２】
前記アクスル（６０）はストップ機構を含む、請求項５１に記載の椅子。
【請求項５３】
前記シートアッセンブリ（１６）に連結され、第１背もたれ位置と第２背もたれ位置との間で移動するようになった背もたれ支持体（６０）を更に含む、請求項４に記載の椅子。
【請求項５４】
前記背もたれ支持体（６０）は、背もたれを調節するための機構を提供する、請求項５３に記載の椅子。
【請求項５５】
前記背もたれを調節するための機構は、ヨーク（２４）に少なくとも部分的に設置されている、請求項５４に記載の椅子。
【請求項５６】
前記背もたれを調節するための前記機構は、張力調節制御機構を提供する、請求項５５に記載の椅子。
【請求項５７】
前記背もたれ支持体（６０）は、張力の作用下で前記第１背もたれ位置と前記第２背もたれ位置との間を移動するようになっている、請求項５６に記載の椅子。
【請求項５８】
前記背もたれ支持体（６０）は、前記張力制御機構が提供する張力の作用下で前記第１背もたれ位置と前記第２背もたれ位置との間を移動する、請求項５７に記載の椅子。
【請求項５９】
前記背もたれ支持体（６０）は、前記ヨーク（２４）に連結された取り付けフレームを含む、請求項５８に記載の椅子。
【請求項６０】
前記背もたれ支持体（２０）に連結された背もたれシェル（６２）及びこの背もたれシェル（６２）に取り付けられた張替えカバーを更に有する、請求項５９に記載の椅子。
【請求項６１】
前記シートアッセンブリ（１６）に連結された一対の肘掛け（２２）を更に有する、請求項６０に記載の椅子。
【請求項６２】
前記シートアッセンブリ（１６）は張替えカバーを含む、請求項６０に記載の椅子。
【請求項６３】
前記シート（１８）は、前記肘掛け（２２）間に入れ子になるように形成されている、請求項６１に記載の椅子。
【請求項６４】
前記背もたれ支持体（６０）は張替体を含む、請求項６１に記載の椅子。
【請求項６５】
前記シートアッセンブリ（１６）は、別の椅子（１０ａ、１０ｂ、１０ｃ）の前記シートアッセンブリ（１６）内で水平方向で入れ子にできるように形成されている、請求項１に記載の椅子。
【請求項６６】
入れ子受け入れ部分及び被入れ子受け入れ部分を持つベース（１２）及び支持体（１４）に対して実質的に垂直な軸線を中心として枢動し且つ前記ベース（１２）に対して垂直方向に移動するようになったシートアッセンブリ（１６）を含む椅子（１０ａ、１０ｂ、１０ｃ）の作動方法であって、
前記ベース（１２）に対する前記シートアッセンブリ（１６）の垂直方向高さ調節工程、
前記シート（１８）を水平な軸線を中心に水平な位置から垂直な位置に枢動させる工程、
前記椅子を入れ子にするために、前記シートアッセンブリ（１６）を格納位置まで前記水平な軸線を中心に枢動させたときに、前記シートアッセンブリ（１６）を前記ベース（１２）に関して所定の高さに自動的に設定するシート作動工程、及び
前記ベース（１２）の前記複数の脚（２６）を別のベース（１２）の複数の脚（２８）内に水平方向で入れ子にする工程を含む、方法。
【請求項６７】
前記シートアッセンブリ（１６）の前記シート（１８）及び前記背もたれ（２０）を別のシートアッセンブリ（１６）のシート（１８）及び背もたれ（２０）に水平方向で入れ子にする工程を更に含む、請求項６６に記載の方法。
【請求項６８】
前記ベース（１２）の被入れ子受け入れ部分を入れ子受け入れ部分の下に嵌める工程を更に含む、請求項６７に記載の方法。
【請求項６９】
前記シートアッセンブリ（１６）の前記ベース（１２）に関する配置を整合する工程を更に含む、請求項６８に記載の方法。
【請求項７０】
前記シートアッセンブリ（１６）の高さを、入れ子にするため、別のシートアッセンブリ（１６）の高さとほぼ同じ高さにする、請求項６９に記載の方法。
【請求項７１】
前記シートアッセンブリ（１６）の高さを前記ベース（１２）に対して位置合わせする工程を更に含む、請求項７０に記載の方法。
【請求項７２】
前記シートが全体として垂直な位置にあるときに、前記シート（１８）の枢動された配置を位置合わせする工程を更に含む、請求項７１に記載の方法。
【請求項７３】
前記シート（１８）の枢動された配置を、全体として垂直な位置に係止する工程を更に含む、請求項７２に記載の方法。
【請求項７４】
前記シートアッセンブリ（１６）が入れ子位置に位置決めされているとき、これを表示する工程を更に含む、請求項７３に記載の方法。
【請求項７５】
前記シートアッセンブリ（１６）の背もたれ支持体（６０）の張力を調節する工程を更に含む、請求項７４に記載の方法。
【請求項７６】
前記ベース（１２）を床（２１４）に沿って転動させる工程を更に含む、請求項７５に記載の方法。
【発明の詳細な説明】
【０００１】
【発明の属する技術分野】
本発明は椅子に関する。詳細には、本発明は水平方向入れ子構成を提供するように形成された椅子に関する。
【０００２】
【従来の技術】
コンパクトに収納する目的で、一つの椅子が別の椅子内に受け入れられる入れ子式椅子又は入れ子式椅子からなるシステムを提供することが知られている。一つの椅子を別の椅子の上に重ねて垂直な椅子の積み重ねを形成する、垂直方向で入れ子可能な即ち「積み重ね」椅子についての構成は周知である。代表的には、垂直方向で入れ子可能なこのような椅子は、全体に直交するベース（即ち、少なくとも二つの、代表的には四つのベース支持体を持つ「箱」状ベース）を含み、ベースは、一方の椅子を別の椅子に上側の椅子のベースが下側の椅子のシート上に嵌まった状態でコンパクトな構成で嵌めることができるように形成されている。このような椅子は、コンパクトに収納できるけれども、一般的には座り心地が悪く、恰好が悪く、例えば入れ子中又は積み重ね中の取り扱いをうまく行うことができない。このような積み重ねた椅子の輸送は特に困難であり、別のカート等が必要となる。
【０００３】
一つの椅子を別の椅子に嵌め込んで水平な椅子の線を形成する、水平方向で入れ子にできる椅子の構成もまた周知である。このような水平方向で入れ子にできる椅子もまた、代表的には、全体に直交するベースを含む（即ち少なくとも二つのベース支持体を含む）。更に、このような椅子は、座り心地が悪く且つ恰好が悪いことが多く、均等に入れ子にすることは容易ではない。更に、入れ子にした椅子の輸送は、比較的困難である。
【０００４】
椅子のシートを椅子のベース又は背もたれ支持体に折畳むことができる折畳み椅子もまた周知である。任意の代表的な構成では、このような折畳み椅子は、通常の使用中、シート又は背もたれ支持体のベースに関するどのような種類の調節も提供しない。更に、このような折畳み椅子は座り心地が比較的悪い。更に、このような折畳み椅子は、収納の目的で管理するのが困難であり、場合によっては、ラックやカート等の追加の構造を必要とする。
【０００５】
上文中に説明したように、このような周知の入れ子式の椅子及び折畳み椅子の構成は、コンパクトに収納し且つ空間を節約するようになっており、一般的にはこのような目的を達成する。しかしながら、これらの周知の構成は、代表的には、全体としての機能、即ち快適さ、調節自在性、使用の容易性、運び勝手、等を犠牲にすることによってのみ、コンパクトに収納し且つ空間を節約することを達成するのである。更に、入れ子式の椅子及び折畳み椅子についてのこれらの周知の構成は、必然的に、美観についての設計上の可能性を制限する。
【０００６】
【発明が解決しようとする課題】
従って、比較的コンパクトに収納できるばかりでなく、例えば一般的に「作業用椅子（ｔａｓｋ  ｃｈａｉｒ）」や「事務所用椅子」（即ちシートアッセンブリがベースに関して枢動回転し及び／又はシートの高さを垂直方向で移動できる椅子）と関連した機能を高める、水平方向で入れ子にできる椅子及び／又は入れ子式の椅子からなるシステムを提供するのが有利である。更に、入れ子にするために形成でき、その後に均等に入れ子にすることが比較的容易であるように形成できる、水平方向で入れ子にできる椅子を提供することが有利である。更に、輸送する目的で及び／又はコンパクトに収納する目的で、入れ子にした椅子からなる整然とした「トレイン（ｔｒａｉｎ）」に形成できる、水平方向で入れ子にできる椅子からなるシステムを提供するのが有利である。
【０００７】
【課題を解決するための手段】
本発明は、作業環境で使用するための、複数の椅子を含む入れ子式の椅子からなるシステムに関する。各椅子は、ベース、このベースに連結された支持体、この支持体に連結されており、ベースに関して垂直方向で調節されるようになったシートアッセンブリを含む。複数の椅子のうちの第１の椅子のベースを、複数の椅子のうちの第２の椅子のベース内に入れ子にすることができる。
【０００８】
本発明は、更に、作業空間等で使用するための椅子に関する。椅子は、入れ子受け入れ部分（ｎｅｓｔｉｎｇ  ｐｏｒｔｉｏｎ）及び被入れ子受け入れ部分（ｎｅｓｔｅｄ  ｐｏｒｔｉｏｎ）を持つベース、このベースに連結された支持体、この支持体に連結されており、ベースに関して垂直方向で調節されるようになったシートアッセンブリを含む。ベースの被入れ子受け入れ部分は、ベースの入れ子受け入れ部分内に入れ子にできるように形成されている。
【０００９】
本発明は、更に、作業空間等で使用するための椅子に関する。椅子は、入れ子受け入れ部分及び被入れ子受け入れ部分を持つベース、このベースに連結されたペデスタル、このペデスタルに連結されたヨーク、及びこのヨークに連結されており、枢動するようになっており、前記ベースに関して垂直方向で調節されるようになったシートアッセンブリを含む。ベースの被入れ子受け入れ部分は、ベースの入れ子受け入れ部分内に入れ子にできるように形成されている。
【００１０】
本発明は、更に、作業空間等で使用するための椅子に関する。椅子は、入れ子受け入れ部分及び被入れ子受け入れ部分を持つベース、このベースに連結された支持体、及び背もたれ及び背もたれ張力調節機構を含む支持体に連結されたシートアッセンブリを含む。ベースの被入れ子受け入れ部分は、ベースの入れ子受け入れ部分内に入れ子にできるように形成されている。
【００１１】
本発明は、更に、椅子の作動方法に関する。椅子は、ベース、このベースに連結された支持体、及びこの支持体に連結されたシートアッセンブリを含む。このシートアッセンブリはベースに対して回転移動するようになっており且つ垂直移動するようになっており、全体に水平な位置と全体に垂直な位置との間で枢動するようになったシートを含む。この方法は、シートを枢動する工程を含む。本方法は、更に、シートが全体に垂直な位置にあるとき、シートの枢動される配置を位置合わせする工程を含む。本方法は、更に、シートアッセンブリを回転する工程を含む。更に、本方法は、シートアッセンブリの垂直位置を位置決めする工程を含む。
【００１２】
本発明は、更に、第１椅子及び第２椅子の作動方法に関する。各椅子は、ベース、このベースに連結された支持体、及びこの支持体に連結されたシートアッセンブリを含む。各シートアッセンブリは、ベースに対して回転移動するようになっており且つ垂直移動するようになっており、全体に水平な位置と全体に垂直な位置との間で枢動するようになったシートを含む。第１椅子のベースは第２椅子のベース内に入れ子になるように形成されている。この方法は、第１椅子及び第２椅子のシートを枢動する工程を含む。この方法は、更に、第１椅子及び第２椅子のシートアッセンブリを回転する工程を含む。更に、この方法は、第１椅子及び第２椅子のシートアッセンブリの垂直位置を位置決めする工程を含む。本発明方法は、更に、第１椅子のベースを第２椅子のベース内に全体に水平方向で入れ子にする工程を含む。
【００１３】
【発明の実施の形態】
図１及び図２を参照すると、これらの図には本発明の好ましい実施例による椅子１０が示してある。この椅子１０は、ペデスタル１４を提供するベース１２、シート１８を含むシートアッセンブリ１６、及び背もたれ２０を含む。椅子１０は、更に、肘掛け２２（これは、変形例によればなくすことができる）を含む。シートアッセンブリ１６は、更に、シート１８及び背もたれ２０が連結されたヨーク２４を含む。シートアッセンブリ１６は、ヨーク２４を含む支持アッセンブリを通してベース１２に連結されている。支持アッセンブリは、ベース１２のペデスタル１４に設置されている。
【００１４】
ベース１２は、全体に対称な星型形体（図２２参照）であり、中空構造チューブ３０（例えば中央コア）から半径方向外方に延びる二つの同じ前脚２６及び二つの同じ後脚２８を有する。前脚２６及び後脚２８の各々は、足３２を有し、この足のところに回転ホイール３６を備えた回転自在のキャスタ３４が設置されている。椅子１０は、かくして、床２１４に沿って転動できる。
【００１５】
ガスシリンダ又は空気圧シリンダ３８がベース１２のチューブ即ちコア３０内に固定的に設置されている（これは、図７に部分的に示してある）。任意の特に好ましい実施例によれば、空気シリンダ３８（即ちガスばね）は、本体３９、及びアクチュエータ即ちストラット４０を持つ従来の構成の装置である。このストラットは、逃がし弁機構（ストラット４０の頂部に設けられたボタン４２によって作動された状態で示してある）を押し込んだときに本体３９から延ばしたりこの本体内に引っ込めたりできる。更に、ストラット４０は、空気シリンダ３８の本体３９内で、中央軸線４４を中心として（ストラット４０の中央を通って延びる）、大きな摩擦抵抗を伴わずに本質的に自由に回転できる。
【００１６】
ヨーク２４は、シートアッセンブリ１６がベース１２に関して中央軸線４４を中心として枢動回転でき、及びシートアッセンブリ１６の高さをベース１２の中央軸線４４に沿って調節できるようにストラット４０のところでペデスタル１４に連結されている。（図１０に示す特に好ましい実施例によれば、ベース１２の鋼製ストラット４０はテーパした上端４６を有し、この上端が、ヨーク２４の底部内の対応するテーパを備えたブッシュ４８内にしっかりと設置される。その結果、解放バルブ機構のボタン４２がヨーク２４の中央に突出する。）ベース１２に関する（即ち中央軸線４４を中心とした）シートアッセンブリ１６の枢動回転は、ストラット４０を空気圧シリンダ３８の本体３９内で回転させることにより（図１及び図１のＡを比較されたい）行われる。ベース１２に関するシートアッセンブリ１６の高さ調節は、中央軸線４４に沿った所定の移動路内で空気圧シリンダ３８の本体３９内に引っ込められるか或いは空気圧シリンダ３８の本体３９から延びるように（図１及び図２を比較されたい）形成された空気圧シリンダ３８のストラット４０によって行われる。図１及び図２に示すように、シートアッセンブリ１６の高さは、これによって、一杯に延ばした状態と一杯に引っ込めた状態との間の移動範囲内で調節でき、これらの二つの状態間の所定の垂直方向着座位置範囲を椅子の使用者に提供する。
【００１７】
図１及び図２を参照すると、これらの図には、シートアッセンブリ１６のシート１８及び背もたれ２０の椅子１０のヨーク２４への連結の全体的構成が示してある。椅子１０のシート１８は、クロス部材５２が二つの平行な横部材５４及び５６に連結された「Ｕ」字形状シートチューブ５０として示す取り付け構造を含む。シートチューブ５０は、更に、シート外シェル５８用の取り付け構造を提供する。図１及び図２に示すように、シート１８は、ヨーク２４に（取り付け構造を通して）枢着されている。ヨーク２４は、横方向軸線４５を構成する横方向アクスル（参照番号６０が附してあるが、図１及び図２は示してない）を有する。この横方向軸線を中心として、シート１８を、「使用」位置（図１参照）から格納位置（図２参照）まで枢動させることができる。シートアッセンブリ１６の背もたれ２０は、横方向アクスル（図１及び図２には示さず）に連結されており且つヨーク２４の横端から延びる一対の支持部材６６を含む。これらの支持部材６６は、更に、背もたれ２０の背もたれ外シェル６２が内部に設置されたフレームを提供する。（背もたれ外シェル６２もまた取り付けフレームを含む。図２４を参照されたい。）椅子１０の使用中、背もたれ２０は、ヨーク２４の横方向アクスルが構成する横方向軸線４５を中心として、所定の移動路内で（及び所定の張力で）、肘掛け２２と共に回動自在である。各肘掛け２２（任意の好ましい実施例に従って張り替えることができる）を取り付けるための全体に水平な取り付け構造６８を提供するため、各支持部材６６から肘掛け支持体６４が延びている。任意の好ましい実施例に従って、張り替えた（例えば布及びフォーム）又は他の種類の外面を、実質的に剛性のプラスチック材料でできたシート外シェル又は背もたれ外シェルに取り付けることができる。
【００１８】
ベース１２の後脚２８には後脚ラブストリップ７０が設けられており、ベース１２の前脚２６には前脚ラブストリップ７２が設けられており、これらのラブストリップ７０、７２は耐久性プラスチック材料製であり、前脚２６及び後脚２８の各々をシールドし且つ保護するようになっている。例示の実施例（図４参照）によれば、各ラブストリップ７０は、足３２とキャスタ３４との間に「捕捉」され、ファスナ（脚の構造形材にねじ込んだねじ２０６として示す）によって脚２８の下側に固定されている。後脚ラブストリップ７０は、後脚２８の下側に沿って部分的にだけ延びており、内端に突出部７４（「鮫の歯」とも呼ぶ）が設けられている。図４に示すように、各後ラブストリップ７０の突出部７４は、後脚２８の下側から延びる裏打ち部材７６に嵌まっている。
【００１９】
任意の好ましい実施例によれば、椅子は、一つの椅子を別の椅子内に水平方向で入れ子にできる入れ子構成を提供するように形成されている。図３に示す特に好ましい実施例から明らかなように、入れ子構成は、椅子の一つ又はそれ以上の特徴により得ることができる。椅子には、シートを格納位置まで回転させたときにシートアッセンブリをベースに関して所定の高さに自動的に設定するシート作動式機構が設けられているのがよい。その結果、入れ子にされるべき各椅子のシートアッセンブリは、入れ子にする目的に良好に適した均等な高さにある。椅子には、ベースに関するシートアッセンブリの回転位置を固定的に配置することができるように、ロッキング（又は他の「位置合わせ」機構）が設けられているのがよい。その結果、入れ子にされるべき各椅子のシートアッセンブリは、入れ子にする目的に良好に適した均等な回転した配置にある。椅子には、一つの椅子を別の椅子内に、入れ子にする目的で、しっかりと入れ子可能に「嵌まる」ように形成されたベースが設けられているのがよい。
【００２０】
添付図面のうち特に図３を参照すると、この図には特に好ましい実施例による椅子１０のベース１２の形体が示してある。椅子１０ｂの後脚２８は、椅子１０ｂの前脚２６を受け入れることができる受け入れ領域即ちレセプタクル２９を形成する（図１のＡを参照のこと）ように形成されている。後脚２８は、前脚２６に関して上方にあり、後脚２８及び前脚２６もまたテーパした輪郭を備えている。従って、椅子１０ａの前脚２６は、別の椅子１０ｂの後脚２８の下に「嵌まり」（後脚２８の各々の間に形成されたレセプタクル２９内に受け入れられ）、入れ子式にする目的で椅子１０ａを椅子１０ｂ内に転がし入れたとき、「中央に置かれ」、対応するテーパ輪郭に沿って案内される。椅子１０ｂの後脚２８の各々の後脚ラブストリップ７０は、椅子１０ａの前脚２６の各々が入れ子中に損傷しないように保護し、後脚ラブストリップ７０の各々の突出部７４は、入れ子にする際の前脚２６の後脚２８の下での移動に対して「ストップ」を提供するのに役立つ。図３に示すように、椅子１０ａの前脚２６の各々が椅子１０ｂの後脚２８の後脚ラブストリップ７０の対応する各突出部７４と接触したとき、椅子１０ａは椅子１０ｂ内にしっかりと「入れ子」にされる。
【００２１】
図３に示すように、椅子は、均等で、整合し、且つ再現性がある入れ子構成で入れ子状態で重ねられる。任意の特定の好ましい実施例によれば、入れ子になった椅子からなる「トレイン」（倉庫保管及び／又は保守の目的で事務所環境内の床に亘って転がすことができる）を形成するように任意の数の椅子を水平方向で入れ子にできる。
【００２２】
図５乃至図１０を参照すると、これらの図には、ヨーク２４及び関連構造の詳細が示してある。ヨーク２４は、ヨークハウジング８０及びこのハウジングに取り付けられたヨークキャップ８２を含む。ヨークハウジング８０内には、背もたれ２０及びシート１８用の枢動連結体を提供するため、ヨーク２４を横切って延びる横方向アクスル６０が設置される。
【００２３】
アクスル６０（任意の好ましい実施例による金属製中空チューブ）は、ヨークハウジング８０内で所定の移動範囲内で回転自在である。図９に示すように、アクスル６０は、ヨークハウジング８０に形成されたネスト８４内のベアリング（即ち青銅製ブッシュ等）６１内に各端が着座しており、ねじ８７として示すファスナによってヨークハウジング８０に固定されたアクスルストラップ８６によって保持されている。（変形例によれば、アクスルの各端のベアリングを省略し、アクスルを適当なネスト内に又はヨークハウジング内のブラケットに直接支承できる。）
図６を参照すると、端プレート８８及び９０がアクスル６０の各端に取り付けられている。端プレート８８及び９０の各々には、円形キャップ９２が取り付けられる。これらの円形キャップは、背もたれ２０の支持部材６６の各々の端部の取り付け構造を提供する（ねじ８９として示すファスナを取り付け穴９１にねじ込む）。支持部材６６の円形のキャップ９２を端プレート８８及び９０に固定することにより、背もたれ２０をアクスル６０に椅子の使用中に回転移動するように連結する。各円形キャップ９２の開放中央部分にハブキャップ９４をスナップ嵌めする。
【００２４】
アクスル６０の回転は、トーションばね９６（柔軟なゴムコアを持つ「ゴムパック」とも呼ばれる）として示す張力機構により制限され、或いは制御される。トーションばね９６はアクスル６０に（即ち仮付け溶接等によって、関連したブッシュ９７の各端に）取り付けられており、クレビス９８でヨークハウジング８０に連結されている。図１０に示すように、ねじ山を備えた端部１０２を持つ調節ノブ１００がヨークハウジング８０の継手１０４を通って延びており、クレビス９８に（ナット１０６及びバーワッシャ１０８によって）螺着されている。調節ノブ１００を廻すと、トーションばね９６が「緩む」か或いは「締まり」、これによりアクスル６０を拘束の程度が低い状態又は高い状態のいずれかに置き、これにより背もたれ２０の張力を調節する。
【００２５】
アクスル６０は、更に、ストップ機構を含む。一対のストップピン１１０がアクスル６０の穴を通って横方向に延びており、アクスルを設置するとき、ストップピン１１０が、ヨークハウジング８０に形成された一組の前ストップ（図示せず）及び後ストップ１１２（図６に部分的に示す）と整合し、これらの上方に位置決めされる。（前ストップ及び後ストップはほぼ同じ形体を有する。）前ストップ及び後ストップ１１２は、ヨークハウジング８０内での回転自在のアクスル６０の移動範囲を制限する。アクスル６０を移動範囲の前限度まで回転させると、例えば、ノブ１００を調節することによってトーションばね９６によって予負荷張力が加わえられた状態で前限度まで回転させた場合には、ストップピン１１０が前ストップと接触し、アクスル６０を反対方向に移動範囲の後限度まで回転させた場合には、例えば背もたれ２０をリクライニング位置に向かって駆動した場合には、ストップピン１１０が後ストップ１１２と接触する。別の実施例によれば、何等かの他の種類の張力機構又はストップ機構及び／又は背もたれ−シートアッセンブリと関連した他の構造を使用できる。
【００２６】
シートチューブ５０（即ちシート１８用の取り付け構造）は、クロス部材５２（仮想線で示す）及び二つの平行な横部材５４及び５６（図２に示すが、図５乃至図７には示さず）を含む。シートチューブ５０の右横部材５４は、右耳１１８として示す取り付けフランジを有し、シートチューブ５０の左横部材５６は、左耳１２０として示す取り付けフランジを有する。各取り付けフランジ１１８及び１２０は、アクスル６０に取り付けられる中央取り付け穴１１７を有する。これにより、シート１８をヨーク２４に関して（及び従ってベース１２に関して）、アクスル６０の回転とは別個に、全体に水平な「使用」位置と全体に垂直な格納位置との間の所定の移動範囲内で枢動回転させることができる。図１７乃至図１９に示すように、取り付けフランジ１１８及び１２０は、ヨークハウジング８０に形成された押縁１２２と接触するタブ１２１を含む。取り付けフランジは、シート１８を「使用」位置まで前方に回転させたときに「ストップ」として役立つ。
【００２７】
通常の使用では、椅子１０のシート１８は、ラッチ機構１２４によって「使用」位置に保持される。ラッチ機構１２４と関連して、ラッチ解放ハンドル１２６がシート外シェル５８の下に取り付けられており、ケーブル１３０がラッチ解放ハンドル１２６からラッチ機構１２４（この機構はケーブル作動式である）まで延びている。ラッチ解放ハンドル１２６は、解放位置（この位置では、ケーブル１３０がラッチ機構１２４から引っ張られる）とラッチ位置（この位置では、ケーブル１３０がラッチ機構１２４に向かって引っ張られる）との間で回転するようにブッシュに枢着されている。ラッチ解放ハンドル１２６は、グリップ部分１３２及びケーブル１３０が固定される張力部分１３４を含む。図１２及び図１３に示すように、ケーブル１３０及び外スリーブ即ち導管１３６がシート外シェル５８の下側のチャンネル１３８内に収容されており、シートチューブ５０によってチャンネル１３８内に保持されている。
【００２８】
かくして、ケーブル１３０の一端は、取り付けスロット１４２内に保持されたねじ１４１として示すファスナによってシート外シェル５８に固定された端部継手１４０によってシート外シェル５８の下に取り付けられており、端部継手１４０は、導管１３６（即ちケーブルシールド）内に溝１４４を有し、ぴったりと固定でき（即ち掴むことができ）、ケーブル１３０は、（ラッチ解放ハンドル１２６の張力部分１３４を固定するため）これを通って延びる。ケーブル１３０の張力は、端部継手１０４のねじ１４１に関する取り付けスロット１４２に沿った又は取り付けスロット１４２内での位置を摺動自在に又は回転自在に調節することによって、（僅かに）調節できる。
【００２９】
ケーブル１３０の反対端は、ラッチ機構１２４のところでラッチピン１４６のボア内に止めねじ１４５で固定されている。図１５及び図１６に示すように、ラッチピン１４６は、ラッチ位置（図１５参照）及び解放位置（図１６参照）との間で摺動し、ヨークハウジング８０内の溝２１２内にラッチキャップ１３７によって保持されている。ラッチ位置では、シート１８用の取り付け構造の左耳とラッチピン１４６が係合し、これによってシート１８がヨーク２４に関して移動しないようにする。左耳１２０には、ラッチピン１４６のテーパした即ち角度をなした端部１４７が挿入される穴１２５が設けられている。この穴１２５は、ねじ２０８として示すファスナによって左耳１２０に固定されたラッチ挿入体１２３（硬質金属製）によって強化される。（ラッチピン１４６と係合したとき、ラッチ挿入体１２３は、シート１８を後方に回転させた場合の「ストップ」を提供する。）解放位置では、ラッチピン１４６は、左耳１２０と係合した状態から引っ込められており、そのため、シート１８を、ヨーク２４に関して、例えば格納位置まで回転させることができる。
【００３０】
ラッチ機構１２４は、ヨークハウジング８０内に取り付けられたラッチキャップ１３７を含む（取り付けタブ１５４の取り付け穴１５２と係合するねじ１５１として示すファスナによって行われる、図１４乃至図１６参照）。ラッチキャップ１３７には、ケーブル１３０の端部継手１２８及び導管１３６が挿入されるスロット１５３が形成されている。端部継手１２８を設置したとき、ケーブル１３０及び導管１３６はラッチピン１４６と整合する（図１５及び図１６参照）。ラッチ機構１２４は、更に、ラッチピン１４６をラッチ位置（図１５参照）に押圧する戻しばね１５６を含む。この戻しばね１５６は、ラッチピン１４６の周りに装着されており、ラッチピン１４６に挿入されたロールピン１５８とラッチキャップ１３７の側壁１６０との間に保持される。ラッチ機構１２４は「自動係止」を行うようになっており、そのため、シート１８を「使用」位置まで回転させ、左耳の穴１２５をラッチピン１４６と整合させると、戻しばね１５６がラッチピン１４６の角度をなした端部１４７を穴１２５内に案内し、ラッチ挿入体１２３と係合させる。
【００３１】
ラッチ機構１２４の作動は、かくして、ラッチ解放ハンドル１２６によって行われる。グリップ部分１３２を持ち上げると、張力部分１３４がケーブル１３０をラッチ機構１２４の端部継手１２８に引込み、ラッチピン１４６が戻しばね１５６の作用に抗して左耳１２０と係合した状態から引き出される。シート１８は格納位置まで自由に回転できる。グリップ部分１３２を解放すると、戻しばね１５６がラッチピン１４６の平らな前縁を押圧し、左耳１２０と接触させる。左耳１２０の穴１２５がラッチピン１４６と整合するようにシート１８を回転させると、ラッチピン１４６の角度をなした端部１４７が案内され、穴１２５に打ち込まれる。シート１８は「使用」位置に固定される。
【００３２】
図５乃至図７に示すように、ヨークワイヤ１６２がヨーク２４の横方向アクスル６０に沿ってこのアクスルの下を延びている。ヨークワイヤ１６２は、球形のドーム状端部１６６を持つベンド１６４を含む。ヨークワイヤ１６２は、他端が、ヨークハウジング８０内にヨークワイヤアクスル１６３（各端がジャーナル１６８に取り付けられている、図１１参照）によってラッチキャップ１３７の下に枢着されている。かくして、ヨークワイヤ１６２のドーム状端部１６６は、所定の移動路内で上下に自由に移動する。図７及び図１０に示すように、通常の作動状態では、ヨークワイヤ１６２は、ベース１２のペデスタル１４内の空気圧シリンダ３８のストラット４０の頂部のボタン４２（即ち解放バルブ機構）に載止している。
【００３３】
ヨーク２４は、ヨークワイヤ１６２と関連したパドル１７０を含むシート高さ調節機構を含む。図８に示すように、パドル１７０は、ヨーク２４と関連した背もたれ２０の左支持部材６６の左円形キャップ９２の開口部１７４を通して設置される。パドル１７０は、露呈されたパドル部分１７６、及びヨークワイヤ１６２のドーム状端部１６６と接触するアクチュエータ部分１７８（左円形キャップ９２内に設けられている）を含む。パドル１７０は、更に、一体のアクスル区分１７２（即ち材料のビード）を含み、この区分を中心としてパドル１７０が開口部１７４内で枢動する。パドル１７０のアクチュエータ部分１７８は、パドル１７０のパドル部分１７６を持ち上げたとき、ヨークワイヤ１６２のドーム状端部１６６を下方に押す。
【００３４】
シート高さ調節キャップの作動では、パドル１７０のパドル部分１７６を持ち上げると、空気圧シリンダ３８の解放バルブ機構のボタン４２が押され、ベース１２に関するシートアッセンブリ１６の高さ調節を行うことができる。空気圧シリンダ３８の本体３９内にストラット４０を下ろすことによってシートアッセンブリ１６を下げることができ、空気圧シリンダ３８の本体３９内でストラット４０を上げることによってシートアッセンブリ１６を持ち上げることができる。（通常の作動状態では、空気圧シリンダのストラット４０の頂部に設けられた解放バルブ機構は、流体、例えば空気圧シリンダ３８内に収容されたガス又は空気の圧力で上方に突出している。）
ヨーク２４は、更に、シートを格納位置まで回転させたときにシートアッセンブリの高さをベースに関して所定の高さに自動的に設定するシート作動式機構を含む。シート１８が水平な「使用」位置にある場合、ヨークワイヤ１６２は、空気圧シリンダ３８のストラット４０の頂部に設けられた解放バルブ機構のボタン４２に軽く載っている。解放バルブ機構は作動されておらず（即ちボタンが押されておらず）、ストラット４０は空気圧シリンダ３８の本体３９内のその現在の位置を維持する。図１７に示すように、ヨークワイヤ１６２は、シート１８用の取り付け構造の右耳１１８の周囲に形成された凹所２０２にぴったりと載っており、空気圧シリンダ３８の解放バルブ機構のボタン４２が提供する上方への力によって所定位置に保持される。（シートアッセンブリ１６の高さ調節は、シート高さ調節機構によって行うことができる。）シート１８を格納位置まで回転させると、ヨークワイヤ１６２が押圧されて凹所２０２から外れ、右耳１１８の周囲がヨークワイヤ１６２の上面に当接するため、下方に押しやられる。図１８に示すように、ひとたびシート１８を格納位置まで回転させると、ヨークワイヤ１６２が下方に押され、下方に（移動範囲の端部に又はその近くに）保持される。空気圧シリンダ３８の解放バルブ機構のボタン４２が押し込まれ、その状態に保持されている。従って、シートアッセンブリ１６は、ストラット４０によって上方に所定の高さ（空気圧シリンダ３８の本体３９内でのストラット４０の上方への全移動路に相当する）まで持ち上げられる。その結果、各椅子のシートを格納位置まで回転させると、入れ子にされるべき各椅子のシートアッセンブリが、入れ子にする目的に適した均等な高さになる。（シート１８を回転させて「使用」位置に戻すと、シートアッセンブリ１６の高さは、再び、シート高さ調節機構の制御下に戻る。）
シート１８及びベース１２のコア３０は、協働係止体即ち「位置合わせ」機構を提供する。ベースに関するシートアッセンブリの回転位置を所定の配置（例えばシートアッセンブリ１６がベース１２と整合した配置）で位置合わせできる。シートアッセンブリ１６は、通常は、中央軸線４４を中心として、ベース１２のペデスタル１４に関して回転自在である。特に好ましい実施例によれば、各椅子のベースは、入れ子にする目的で一つの椅子が別の椅子に（例えば一つのベースが他のベースに）しっかりと入れ子式に「嵌まる」ように形成されている。図３に示すように、椅子１０ｂの後脚２８は、椅子１０ｂの前脚２６を受け入れることができる受け入れ領域即ちレセプタクル２９を形成するような形体を備えている（図１のＡを参照されたい）。従って、椅子を入れ子にしようとする場合には、各椅子のベースを椅子のシートアッセンブリと（入れ子にされるべき全ての椅子について）均等に整合させ、入れ子にする上での効率を更に高める（例えば収納密度及び機動性を改善するため）のが好ましい。
【００３５】
図２０乃至図２３に示すように、「歯−スロット」構造によりシート１８をベース１２と位置合わせする。任意の特定の好ましい実施例によれば、歯及びスロットには、噛み合い摩擦嵌め（例えば摩擦傾斜角度）が提供される。これにより、十分にしっかりと（しかし、「誤って」又は望ましからぬ荷重が加わることにより歯及びスロットが損傷することがない）選択的に係合できる。図２０及び図２１を参照すると、ベース１２のコア３０には、上方及び外方に突出した湾曲した歯１８２を持つ円形のキャップリング１８０（ねじ１８３によって固定してある）が設けられている。シート１８にはスロット即ち溝１８４（シート外シェル５８の後縁部の下の中央に形成されている）が設けられている。シートアッセンブリ１６をベース１２に関して位置合わせする上で適正な配置まで回転させると、歯１８２が溝１８４と摩擦係合し、この溝内に保持される。図２２及び図２３に示す変形例（この変形例では、歯及びスロットが逆になっている）によれば、スロット１８７を備えた円形のキャップリング１８１（ねじ１８９によって固定してある）がベース１２のコア３０に設けられている。突出シート歯１８８を含む歯アッセンブリ１８６がシート１８に取り付けられている（例えば、ねじ２１０によってシート外シェル５８の後縁部の下の中央に取り付けられている）。シートアッセンブリ１６をベース１２に関して適正な配置まで回転させると、シート歯１８８がスロット１８７と係合し、このスロット内に保持される。その結果、入れ子にされるべき椅子の各々のシートアッセンブリは、入れ子の目的に適した均等な回転した向きに配置される。任意の好ましい実施例によれば、椅子を入れ子にする作業中、入れ子にした椅子からなる「トレイン」の倉庫保管中及び／又は配置中に遭遇する通常の力が作用しているとき、椅子のベースに関するシートアッセンブリの「位置合わせ」位置が維持される（この際、歯及び／又はスロットは壊れないように保護されている）。例えば、特に好ましい実施例によれば、歯及びスロットは、１３．６０８ｋｇｆ（３０ポンド力）以上の側方負荷が加わった場合やシートが後方に押しやられた場合に歯がスロットから「ぽんと」飛び出すように形成されている（これは、歯及び／又はスロットを適切に形成することによって行われる）。
【００３６】
特に好ましい実施例によれば、椅子のシート外シェル及び背もたれ外シェルの各々に張替えカバー（例えば布及びフォーム）を設けることができる。布及びフォームのカバーは、ねじ山を備えた複数のファスナによってシート外シェルに取り付けることができる。これらのファスナは、例えばシート外シェルの下に配置された取り付け箇所に固定される。同様に、図２４乃至図２７に示すように、張替えカバー１９０を背もたれ外シェル６２に取り付けることもできる。張替えカバー１９０の内面１９２には、一連のフック１９４（例えばプラスチック）が設けられており、これらのフックは、背もたれ外シェル６２に設けられた対応するスロット２０４（面取り部２０５を備えている）内に挿入されるように装着される。図２６に示すように、フック１９４の挿入後、張替えカバー１９０を背もたれ外シェル６２にしっかりと保持する。（変形例によれば、張替えカバーは、同様のフック−スロット構成でシート外シェルに取り付けることができる。）図２４に示すように、張替えカバー１９０はボス１９６を更に有する。これらのボスは、背もたれ外シェル６２の対応する位置に設けられた穴２００に押し込まれ、リングファスナ１９８（例えば係止ワッシャ）によって固定される。変形例によれば、椅子のシート及び背もたれに張替えカバーを設けるための様々な他の構成を使用できる。例えば、柔軟なフック又は他の種類のファスナ又はファスニングシステム（締まり嵌め、コンプライアント嵌め（ｃｏｍｐｌｉａｎｔ  ｆｉｔ）、接着剤、等）を単独で又は任意の適当な組み合わせで使用できる。
【００３７】
本発明の幾つかの例示の実施例だけを上文中に詳細に説明したけれども、本発明の新たな教示及び利点から大きく逸脱することなく、例示の実施例に多くの変更を加えることができるということは、本開示を検討する当業者には容易に理解されよう。好ましい例示の実施例によれば、椅子のエレメントは、本開示を検討できる当業者に周知の任意の適当な材料で製造できる。例えば、ヨークハウジングはアルミニウム（プラスチック製ヨークキャップを備えている）で製造でき、パドルは外シェル及びラッチ解放ハンドルと同様にＡＢＳプラスチック製であり、ベース（脚）はダイカストアルミニウム製であり、空気圧シリンダ（例えばガスばね）はペンシルバニア州のスタビラスオブコルマーが販売している種類であり、ラッチピン及びラッチ挿入体は焼入れ鋼（８６２０, ロックウェル硬度６４）であり、ラブストリップはポリプロピレン製であり、「歯−スロット」はナイロン製であり、シートアッセンブリの構造部材等の様々な金属製部品及び様々な調節機構を任意の適当な金属、例えば冷間圧延鋼で形成できる。
【００３８】
変形例によれば、特許請求した発明に従って相互関係し又は機能する他の形体をベース、支持アッセンブリ、又はシートアッセンブリ等の椅子のエレメントに与えることができる。従って、全てのこのような変更は、特許請求の範囲に定義された本発明に範疇に含まれる。特許請求の範囲では、各ミーンズプラスファンクションクローズ（ｍｅａｎｓ−ｐｌｕｓ−ｆｕｎｃｔｉｏｎ  ｃｌａｕｓｅ）は、本明細書中に記載した構造を、記載の機能を実施するものとして含もうとするものであり、構造的等価物ばかりでなく等価な構造も含まれる。
【００３９】
好ましい実施例の設計、作動条件、及び構成において、特許請求の範囲に記載の本明細書の精神から逸脱することなく、他の代替物、変形、変更、及び省略を行うことができる。
【図面の簡単な説明】
【図１】  本発明の好ましい実施例による椅子の斜視図であり、図１のＡは椅子の斜視図である。
【図２】  シートが格納位置にある椅子の斜視図である。
【図３】  入れ子構成の二つの椅子の斜視図である。
【図４】  椅子のベースの脚の部分正面図である。
【図５】  椅子のヨーク及びペデスタルを含むシートの部分斜視図である。
【図６】  椅子のヨークの分解斜視図である。
【図７】  図５の７−７線に沿った椅子のヨーク及びペデスタルの立断面図である。
【図８】  図７の８−８線に沿った椅子のヨークの立断面図である。
【図９】  図７の９−９線に沿った椅子のヨークの立断面図である。
【図１０】  図５の１０−１０線に沿った椅子のペデスタルの立断面図である。
【図１１】  図７の１１−１１線に沿った椅子のヨークの立断面図である。
【図１２】  図５の１２−１２線に沿った椅子のシートの立断面図である。
【図１３】  図５の１３−１３線に沿った椅子のシートの立断面図である。
【図１４】  図７の１４−１４線に沿った椅子のヨークの立断面図である。
【図１５】  係合位置にあるラッチ機構を示す図７の１５−１５線に沿った椅子のヨークの立断面図である。
【図１６】  図１５のラッチ機構を解放位置で示す平断面図である。
【図１７】  「使用」位置に配置されたシート用の取り付け構造を示す図７の１７−１７線に沿った椅子のヨークの立断面図である。
【図１８】  格納位置に配置された図１７の取り付け構造を示す立断面図である。
【図１９】  図７の１９−１９線に沿った椅子のヨークの立断面図である。
【図２０】  図７の２０−２０線に沿った椅子のペデスタルの平面図である。
【図２１】  図２０の２１−２１線に沿った椅子のペデスタルの立断面図である。
【図２２】  変形例による椅子のペデスタルの平断面図である。
【図２３】  図２２の２３−２３線に沿った椅子のペデスタルの立断面図である。
【図２４】  変形例による椅子の背もたれ外シェル及び張替えカバーの分解斜視図である。
【図２５】  図２４に示す張替えカバー及び背もたれ外カバーの取り付けの詳細を示す部分分解斜視図である。
【図２６】  図２５の詳細の部分立断面図である。
【図２７】  図２４に示す張替えカバーの背もたれ外カバーへの取り付けの詳細を示す部分立断面図である。
【符号の説明】
１０  椅子                        １２  ベース
１４  ペデスタル                  １６  シートアッセンブリ
１８  シート                      ２０  背もたれ
２２  肘掛け                      ２４  ヨーク
２６  前脚                        ２８  後脚
３０  中空構造チューブ            ３２  足
３４  キャスタ                    ３６  回転ホイール
３８  空気圧シリンダ              ４０  ストラット
４２  ボタン                      ４４  中央軸線
４６  テーパした上端              ４８  ブッシュ
【図１】
0003730119.tif 000002
【図１Ａ】
0003730119.tif 000003
【図２】
0003730119.tif 000004
【図３】
0003730119.tif 000005
【図４】
0003730119.tif 000006
【図５】
0003730119.tif 000007
【図６】
0003730119.tif 000008
【図７】
0003730119.tif 000009
【図８】
0003730119.tif 000010
【図９】
0003730119.tif 000011
【図２２】
0003730119.tif 000012
【図２３】
0003730119.tif 000013
【図１０】
0003730119.tif 000014
【図１４】
0003730119.tif 000015
【図１１】
0003730119.tif 000016
【図１２】
0003730119.tif 000017
【図１３】
0003730119.tif 000018
【図１５】
0003730119.tif 000019
【図１６】
0003730119.tif 000020
【図１９】
0003730119.tif 000021
【図１７】
0003730119.tif 000022
【図１８】
0003730119.tif 000023
【図２０】
0003730119.tif 000024
【図２１】
0003730119.tif 000025
【図２４】
0003730119.tif 000026
【図２５】
0003730119.tif 000027
【図２６】
0003730119.tif 000028
【図２７】
0003730119.tif 000029